(57)【要約】  電力処理部は、太陽光発電装置によって発電された電力を蓄電池に蓄積し、蓄電池に蓄えた電力を外部に供給する分散電源から、複数の需要家に供給される供給電力を需要家毎に計測する。記憶部は、電力処理部によって需要家毎に計測された供給電力の時間変化を示す変化パターンを記憶する。制御部は、電力処理部が計測した需要家への供給電力が、計測対象の需要家の変化パターンから求めた計測時点における供給電力よりも、所定の閾値以上増加すると、盗電されていると判定する。
2015015530.tif 000002
【特許請求の範囲】
【請求項１】
発電装置によって発電された電力を蓄電池に蓄積し前記蓄電池に蓄えた電力を外部に供給する分散電源から、複数の需要家の各々に供給される供給電力を個別に計測する計測部と、
前記複数の需要家の各々について前記計測部によって計測された供給電力の時間変化を示す変化パターンを記憶する記憶部と、
前記複数の需要家の各々について、前記計測部が計測した供給電力が、前記変化パターンから求めた計測時点における供給電力よりも、所定の閾値以上増加すると、盗電されていると判定する判定部と、
を備えたことを特徴とする給電制御装置。
【請求項２】
前記記憶部には、前記複数の需要家の各々が使用している電気機器の定格消費電力が登録されており、
前記判定部は、前記複数の需要家の各々について、前記計測部が計測した供給電力が、前記記憶部に登録された前記電気機器の定格消費電力の合計値よりも所定量以上大きくなると、盗電されていると判定するように構成された
ことを特徴とする請求項１記載の給電制御装置。
【請求項３】
通知部と制御部とをさらに備え、
前記通知部は、前記複数の需要家のうち、盗電されていると前記判定部が判定した需要家に対して、盗電の有無を確認させる通知を行うように構成され、
前記制御部は、前記通知を受けた前記需要家より電力供給を停止させる制御命令が入力されると、前記分散電源から、前記制御命令の送信元である前記需要家への電力供給を停止させるように構成された
ことを特徴とする請求項１又は２の何れかに記載の給電制御装置。
【請求項４】
前記通知部は、前記複数の需要家のうち、盗電されていると前記判定部が判定した需要家に対して、盗電の有無を確認させる通知を行う際に、前記通知を行う度に生成した識別情報を一緒に通知するように構成され、
前記制御部は、前記通知部が通知した前記識別情報と、前記需要家より前記制御命令と共に返送された識別情報とを照合し、両者が一致しなければ前記制御命令を実行せず、両者が一致した場合に前記制御命令を実行するように構成された
ことを特徴とする請求項３記載の給電制御装置。
【請求項５】
制御部をさらに備え、
前記複数の需要家のうち、盗電されていると前記判定部が判定した需要家への給電経路が複数存在し、且つ、複数の前記給電経路のうち、盗電されていないと前記判定部が判定した給電経路が少なくとも１つ存在する場合、
前記制御部は、複数の前記給電経路のうち、盗電されていると判定された給電経路を介しての電力供給は停止させ、盗電されていないと判定された前記給電経路を介しての電力供給は継続するように構成された
ことを特徴とする請求項１又は２の何れかに記載の給電制御装置。
【発明の詳細な説明】
【技術分野】
【０００１】
本発明は、分散電源から複数の需要家への給電をそれぞれ制御する給電制御装置に関する。
【背景技術】
【０００２】
現在でも辺境地や島嶼部などには電化されていない地域があり、このような無電化地域で電気を利用できるようにすることが望まれている。一般に無電化地域は都市部から離れた場所にあり、居住している人口も少ないため、無電化地域まで送電網を延ばそうとすると、送電設備の新設に多額の事業費が必要になり、なかなか無電化地域の電化事業が進まなかった。また、無電化地域は都市部から離れた場所にあることが多いため、このような無電化地域を電化した場合、電力会社の作業員が保守、管理のために頻繁に巡回することができず、盗電されていても、電力会社が気付かず、適正な料金を徴収できない可能性があった。【０００３】
従来、屋外に設置された屋外コンセントから盗電されないように、電気機器の認証をする機能を備えた電気供給システムが提案されている（例えば文献１［日本国公開特許公報第２０１０−２３９７３５号公報］参照）。【０００４】
文献１の電気供給システムでは、屋外に設置された屋外コンセントに電気機器が接続されると、住宅内に設置された電力量計が、電気機器から機器識別値を受信し、この機器識別値を予め登録された登録識別値と照合していた。そして、電力量計は、電気機器から受信した機器識別値が登録識別値と一致すれば、屋外コンセントに接続された電気機器に給電しており、機器識別値が登録されていない電気機器に給電されないようにしていた。【０００５】
文献１の電気供給システムでは、使用が許可されていない電気機器が屋外コンセントに接続された場合は電気機器への給電を停止するが、需要家宅に電力を引き込むための引き込み線の途中から電力が盗電された場合には盗電を検知することができなかった。
【発明の概要】
【０００６】
本発明は上記事由に鑑みて為され、需要家への配電線から盗電される状態をより確実に検知できる給電制御装置を提供することを目的とする。
【０００７】
本発明に係る給電制御装置は、発電装置によって発電された電力を蓄電池に蓄積し前記蓄電池に蓄えた電力を外部に供給する分散電源から、複数の需要家の各々に供給される供給電力を個別に計測する計測部と、前記複数の需要家の各々について前記計測部によって計測された供給電力の時間変化を示す変化パターンを記憶する記憶部と、前記複数の需要家の各々について、前記計測部が計測した供給電力が、前記変化パターンから求めた計測時点における供給電力よりも、所定の閾値以上増加すると、盗電されていると判定する判定部と、を備えたことを特徴とする。
【０００８】
この給電制御装置において、前記記憶部には、前記複数の需要家の各々が使用している電気機器の定格消費電力が登録されており、前記判定部は、前記複数の需要家の各々について、前記計測部が計測した供給電力が、前記記憶部に登録された前記電気機器の定格消費電力の合計値よりも所定量以上大きくなると、盗電されていると判定するように構成されることも好ましい。
【０００９】
この給電制御装置において、通知部と制御部とをさらに備え、前記通知部は、前記複数の需要家のうち、盗電されていると前記判定部が判定した需要家に対して、盗電の有無を確認させる通知を行うように構成され、前記制御部は、前記通知を受けた前記需要家より電力供給を停止させる制御命令が入力されると、前記分散電源から、前記制御命令の送信元である前記需要家への電力供給を停止させるように構成されることも好ましい。
【００１０】
この給電制御装置において、前記通知部は、前記複数の需要家のうち、盗電されていると前記判定部が判定した需要家に対して、盗電の有無を確認させる通知を行う際に、前記通知を行う度に生成した識別情報を一緒に通知するように構成され、前記制御部は、前記通知部が通知した前記識別情報と、前記需要家より前記制御命令と共に返送された識別情報とを照合し、両者が一致しなければ前記制御命令を実行せず、両者が一致した場合に前記制御命令を実行するように構成されることも好ましい。
【００１１】
この給電制御装置において、制御部をさらに備え、前記複数の需要家のうち、盗電されていると前記判定部が判定した需要家への給電経路が複数存在し、且つ、複数の前記給電経路のうち、盗電されていないと前記判定部が判定した給電経路が少なくとも１つ存在する場合、前記制御部は、複数の前記給電経路のうち、盗電されていると判定された給電経路を介しての電力供給は停止させ、盗電されていないと判定された前記給電経路を介しての電力供給は継続するように構成されることも好ましい。
【図面の簡単な説明】
【００１２】
【図１】実施形態における給電制御装置を示すブロック図である。
【図２】実施形態の給電制御装置を用いた配電システムの一例を示す図である。
【図３】実施形態の給電制御装置によって電力供給が制御される住戸への供給電力の時間変化を示す図である。
【図４】実施形態の給電制御装置の動作を説明するフローチャートである。
【発明を実施するための形態】
【００１３】
本発明にかかる給電制御装置の実施形態を図面に基づいて説明する。
【００１４】
本実施形態の給電制御装置は、分散電源から複数の需要家に電力を供給する配電システムに用いられる。本実施形態の給電制御装置が適用される配電システムは、辺境地や島嶼部などの無電化地域に設置され、分散電源で発電された電力を、無電化地域にある需要家（例えば一般の住戸や学校、病院などの公共施設）に供給するような比較的小規模のシステムである。
【００１５】
図２は配電システムの一例を示した図であり、この配電システムは、分散電源３０で発電された電力（例えばＡＣ２２０Ｖの交流電力）を、複数の需要家の住戸４０に配電する配電装置１を備えている。なお、配電システムの配電先は、一般の住戸４０に限定されず、小学校や病院のような公的な施設でもよい。
【００１６】
分散電源３０は、太陽光発電装置（ＰＶ：photovoltaics）３１と、蓄電池３２と、充電回路３３と、インバータ回路３４とを備える。
【００１７】
太陽光発電装置３１は、太陽光を電気エネルギに変換する太陽電池パネルを複数備え、供給先の規模に合わせて発電容量が決定される。
【００１８】
蓄電池３２は、例えば鉛蓄電池からなり、太陽光発電装置３１で発電された電力を蓄える。
【００１９】
充電回路３３は、太陽光発電装置３１の出力を安定化して略一定の直流電圧（例えばＤＣ４８Ｖ）を出力し、蓄電池３２を充電する。
【００２０】
インバータ回路３４は、充電回路３３から出力される直流電圧、或いは、蓄電池３２から放電された直流電圧を交流（例えばＡＣ２２０Ｖ）に変換して、配電装置１に出力する。
【００２１】
分散電源３０の発電容量を需要率１００％で設計すると、発電容量が大容量になったり、不足分を補うためにディーゼル発電機が必要になったりして、導入コストや運用コストが高くなる。そこで、本実施形態では太陽光発電設備３１と蓄電池３２を組み合わせ、後述の配電制御装置１０が各需要家の住戸４０への配電を制御することによって、比較的小規模の発電設備で電力需要を賄えるようにしている。なお、本実施形態の分散電源３０は太陽光発電装置３１を備えているが、発電装置は太陽光発電装置３１に限定されるものではなく、風力発電装置や小水力発電装置などの自然エネルギで発電する発電装置でもよいし、ディーゼル発電装置でもよい。
【００２２】
配電装置１は、主幹開閉器（ＭＣＣＢ：Molded Case Circuit Breaker）２と、複数の分岐開閉器３と、複数の電流センサ５と、電流センサ６と、給電制御装置（電力計測器４及び配電制御装置１０からなる）とを備える。配電装置１は、例えば２０フィートコンテナからなる箱体の内部に主幹開閉器２と、複数の分岐開閉器３と、電力計測器４と、複数の電流センサ５と、電流センサ６と、配電制御装置１０とを収納して構成される。配電装置１は分散電源３０の近くに設置されている。配電装置１と複数の需要家の住戸４０の間はそれぞれ別個の配電線４２を介して接続されており、配電装置１から配電線４２を介して各住戸４０に電力が供給されている。
【００２３】
主幹開閉器２には分散電源３０で発電された電力が供給され、分散電源３０から供給された電力を二次側に接続された複数の分岐開閉器３に供給する。
【００２４】
複数の分岐開閉器３の各々には、配電線４２を介して、対応する需要家の住戸４０にある電気機器（図示せず）が接続されている。分岐開閉器３がオンになると、対応する住戸４０の電気機器に電力が供給される。分岐開閉器３がオフになると、対応する住戸４０の電気機器への電力供給が遮断される。
【００２５】
電流センサ５は例えばホール効果を利用した磁電変換素子からなる。各々の電流センサ５は、対応する分岐開閉器３の一次側に設けられ、対応する分岐開閉器３に流れる電流、すなわち対応する住戸４０に供給される電流を個別に計測する。
【００２６】
電流センサ６は例えばホール効果を利用した磁電変換素子からなり、主幹開閉器２に流れる電流、すなわち分散電源３０の出力電流を計測する。
【００２７】
電力計測器４は、所定の計測タイミングで、複数の電流センサ５と電流センサ６とから電流の計測値を取得し、電流の実効値と、電源電圧の実効値と、電流及び電圧の位相角とを用いて需要家毎の供給電力及び需要家全体への供給電力を算出する。また、電力計測器４は、需要家毎の供給電力及び需要家全体への供給電力をそれぞれ累積することによって、単位時間（例えば１時間）あたりの需要家毎の供給電力量及び需要家全体への供給電力量をそれぞれ算出する。
【００２８】
配電制御装置１０は、図１のブロック図に示すように、制御部１１と、記憶部１２と、電力処理部１３と、通信部１４と、照合部１５と、配電処理部１６とを備える。
【００２９】
制御部１１は、配電制御装置１０の全体的な制御を行う。
【００３０】
記憶部１２は、ＥＥＰＲＯＭ（Electrically Erasable Programmable Read-Only Memory）などの電気的に書き換え可能な不揮発性メモリ、又は、バックアップ用の電源が設けられたＲＡＭ（Random Access Memory）からなる。記憶部１２は、電力計測器４によって計測された各需要家の住戸４０への供給電力、各需要家の住戸４０への供給電力の総和、各需要家を個別に識別するための識別情報、各需要家が使用している電気機器の情報などを記憶する。なお、各需要家が使用している電気機器の情報とは、各需要家が保有している電気機器の情報、すなわち住戸４０にある電気機器の情報でもよいし、現在使用している電気機器、すなわち現在動作中の電気機器の情報でもよい。
【００３１】
電力処理部１３は、電力計測器４が計測した各需要家への供給電力、及び、需要家全体への供給電力を電力計測器４から定期的に取得する。なお、配電制御装置１０と電力計測器４を一体とし、配電制御装置１０の内部に、各需要家への供給電力を需要家毎に計測する機能を備えていてもよい。
【００３２】
電力処理部１３は、盗電が行われていないと配電システムの管理者によって確認された状態で、電力計測器４から取得した需要家毎の供給電力の時間変化、及び、需要家全体への供給電力の時間変化を、それぞれ基準パターンとして記憶部１２に記憶させる。
【００３３】
電力処理部１３は、基準パターンを求めた後に、電力計測器４が何れかの需要家について計測した供給電力の計測値を取得すると、該当する需要家の基準パターンから計測時における供給電力を求める。そして、電力処理部１３は、電力計測器４によって計測された供給電力の計測値が、基準パターンから求めた計測時点における供給電力よりも所定量以上大きくなれば、この需要家への配電線４２から盗電されているとの判断結果を制御部１１に出力する。
【００３４】
電力処理部１３は、後述する配電処理部１６が何れかの分岐開閉器３をオフさせて、対応する需要家への電力供給を遮断した後も、この需要家への供給電力を電力計測器４が計測した値がゼロにならなければ、制御部１１にその旨を通知する機能も備える。
【００３５】
また電力処理部１３は、需要家が保有する電気機器の情報（例えば最大使用電力）を登録した場合に、この需要家への供給電力の計測値が、登録された電気機器の最大使用電力の総和を超えると、その旨を制御部１１に通知してもよい。また電力処理部１３は、需要家が保有する電気機器の登録を全て解除した場合に、この需要家への供給電力の計測値がゼロにならなければ、その旨を制御部１１に通知してもよい。
【００３６】
通信部１４は、例えば携帯電話会社が提供する通信網を介して、配電対象の需要家の住戸４０毎に予め登録された携帯端末４１との間で通信を行う機能を有している。何れかの需要家の住戸４０で使用される携帯端末４１から、この需要家の住戸４０で使用する電気機器の登録又は解除の指示、需要家を個別に識別する識別情報、この需要家の住戸４０への電力供給を停止させる指示、又は、電力供給を開始させる指示を受信すると、受信した内容を制御部１１に出力する。また通信部１４は、何れかの需要家への通知内容が制御部１１から入力されると、この需要家が使用する携帯端末４１に対して、制御部１１から入力された通知内容を送信する。
【００３７】
照合部１５は、何れかの需要家で使用される携帯端末４１から送信された識別情報を通信部１４が受信すると、受信した識別情報を記憶部１２に予め登録されている識別情報と照合することによって、通信部１４の通信相手が予め登録された需要家であるか否かを判断する。
【００３８】
配電処理部１６は、制御部１１から入力される制御命令に基づいて、制御対象の分岐開閉器３をオン又はオフさせることによって、対応する需要家の住戸４０への電力供給を開始又は遮断する。また配電処理部１６は、制御部１１から入力される制御命令にしたがって、制御対象の分岐開閉器３をオン又はオフさせると、制御が完了したことを制御部１１に通知する。
【００３９】
ここにおいて、制御部１１、電力処理部１３、照合部１５、配電処理部１６は、例えばマイクロコンピュータが組み込みのプログラムを実行することによって実現されている。
【００４０】
本実施形態の給電制御装置を用いる配電システムは上記のような構成を有しており、以下ではその動作について説明する。
【００４１】
日照がある時間帯に、太陽光発電設備３１で発電された電力は充電回路３３によって一定の直流電圧に変換され、蓄電池３２に蓄えられる。充電回路３３又は蓄電池３２から出力される直流電圧は、インバータ回路３４によって交流電圧に変換され、配電装置１の主幹開閉器２に出力される。
【００４２】
分散電源３０から主幹開閉器２に入力された交流電力は、複数の分岐回路に分配され、各分岐回路に接続された分岐開閉器３と、分岐開閉器３の二次側に接続された配電線４２を介して、対応する住戸４０に供給され、住戸４０にある電気機器によって消費される。
【００４３】
電力計測器４は、所定の計測タイミングで電流センサ５，６から計測値を取り込み、各需要家への供給電力、及び、需要家全体への供給電力を演算により求める。
【００４４】
何れかの需要家が、自己の住戸４０で盗電が行われていないと確認すると、携帯端末４１を操作して、自己の住戸４０への供給電力の時間変化を収集させる制御命令を、配電制御装置１０に送信させる。携帯端末４１から送信された制御命令は、配電制御装置１０の通信部１４によって受信される。制御部１１は、通信部１４が受信した制御命令にしたがって、送信元の需要家に対応する住戸４０への供給電力の計測値を電力処理部１３に所定期間分（例えば１ヶ月分）収集させる。電力処理部１３は、制御部１１によって制御され、指定された住戸４０への供給電力の計測値を所定期間分収集する。電力処理部１３は、例えば１時間毎に計測された供給電力の計測値を所定期間分収集すると、１時間毎の計測値を平均することによって、供給電力の時間変化を示す基本パターンを求める。
【００４５】
図３はある住戸４０への供給電力の時間変化を示す基本パターンの測定例であり、図３に実線で示した折れ線Ｌ１は基本パターンの測定例、図３に一点鎖線で示した折れ線Ｌ２は実際に測定された供給電力を示している。図３の例では、毎日の０時から２４時まで１時間単位で供給電力の時間変化が計測されている。
【００４６】
電力処理部１３は、ある需要家の住戸４０への供給電力の時間変化を所定期間分収集して基本パターンを求めると、この基本パターンをもとに盗電が行われているか否かを監視する。すなわち、電力処理部１３は、電力計測器４からある時間にある需要家の住戸４０へ供給された供給電力の計測値を取得すると、この需要家への供給電力の基本パターンから計測時点における供給電力を求め、この供給電力と計測値とを比較する。そして、基本パターンから求めた供給電力よりも計測値の方が所定量以上増加していれば、電力処理部１３は、この住戸４０への配電線４２から盗電されていると判定し、その判定結果を制御部１１に出力する。
【００４７】
本実施形態の配電システムは、無電化地域において数戸〜数十戸の住戸４０が集まった集落への適用を想定しており、個々の需要家が保有する電気機器も、照明器具、テレビ、冷蔵庫、洗濯機などの実用性が高い基本的な電気機器を想定している。したがって、各々の需要家では毎日同じような時間帯に同じ種類の電気機器が使用されることになり、その住戸４０への供給電力の時間変化はほぼ一定となると予想される。すなわち、ある時間帯に需要家へ供給した供給電力は、この需要家への供給電力を所定期間収集して求めた基本パターンから大きく変動しないと予想される。よって、電力処理部１３は、電力計測器４が計測したある需要家への供給電力が、この需要家への供給電力の基本パターンから求めた計測時点における供給電力よりも所定量以上増加していると盗電と判定し、その判定結果を制御部１１に出力する。
【００４８】
制御部１１は、電力処理部１３から盗電という判定結果が入力されると、通信部１４から対象の需要家が使用する携帯端末４１に、盗電の発生を通知するメッセージを送信させる。このとき、対象の需要家は、携帯端末４１に送信されたメッセージを確認することで、盗電が行われていることを把握する。
【００４９】
また制御部１１は、盗電されていると判断した住戸４０に対応する分岐開閉器３をオフさせる命令を配電処理部１６に出力し、配電処理部１６がこの分岐開閉器３をオフさせることで、この住戸４０への電力供給を遮断し、それ以上盗電されないようにする。配電処理部１６が電力供給を遮断する処理を完了すると、制御部１１は、電力供給を遮断した需要家の携帯端末４１に、電力供給を遮断したことを通知するメッセージを通信部１４から送信させる。このとき、対象の需要家は、携帯端末４１に送信されたメッセージを確認することで、住戸４０への電力供給が遮断されたことを把握する。
【００５０】
ところで、需要家によって生活のスタイルが異なるため、各需要家への供給電力の時間変化は、需要家によって様々であると予想される。本実施形態の給電配電制御装置は、需要家毎に、供給電力の時間変化を所定期間に亘って計測し、供給電力の時間変化を示す基準パターンを求めておく。そして、給電配電制御装置は、ある時刻に計測された供給電力が、基準パターンから求めた計測時点における供給電力よりも所定量以上大きくなると、この需要家の住戸４０への給電経路（配電線４２）から盗電されていると判断する。このように、給電配電制御装置は、需要家への供給電力が通常時に比べて所定量以上増加することから、盗電が発生していると判定しているので、盗電が行われていることをより確実に検知できる。
【００５１】
なお、給電配電制御装置は、盗電を検知すると、盗電の発生を需要家に通知するとともに、この需要家への電力供給を遮断しているが、盗電の発生を需要家に通知した後で、需要家自身に盗電が行われているか否かを確認させてもよい。この場合の動作について以下に説明する。
【００５２】
電力処理部１３は、電力計測器４が計測したある需要家への供給電力が、この需要家への供給電力の基本パターンから求めた計測時の供給電力よりも所定量以上増加していると判定すると、その判定結果を制御部１１に出力する。
【００５３】
制御部１１は、電力計測器４が計測した供給電力が基準パターンから求めた計測時点における供給電力よりも所定量以上増加したという判定結果が電力処理部１３から入力されると、通信部１４から対象の需要家が使用する携帯端末４１へ、供給電力の増加を通知する内容のメッセージを送信させる。
【００５４】
計測対象の需要家が使用する携帯端末４１に、配電制御装置１０の通信部１４から、供給電力の増加を通知するメッセージが入力されると、携帯端末４１に送られたメッセージを確認した需要家は、通知が届く前に電気機器を使い始めたか否かを判断する。通知が届く前に電気機器を使い始めていれば、計測対象の需要家は、供給電力の増加が電気機器の使用開始によるものと判断し、携帯端末４１を操作して、盗電ではないとの応答を携帯端末４１から配電制御装置１０に送信する。一方、上記の通知が届く前に電気機器を使い始めていなければ、計測対象の需要家は、供給電力の増加が他者に盗電されたことによるものと判断し、携帯端末４１を操作して、電力供給を停止させる制御命令を携帯端末４１から配電制御装置１０に送信させる。
【００５５】
配電制御装置１０の通信部１４が、計測対象の需要家が使用する携帯端末４１から盗電ではないとの応答を受信すると、制御部１１は、配電処理部１６を制御して対応する分岐開閉器３をオンさせ続け、計測対象の需要家の住戸４０への電力供給を継続する。
【００５６】
配電制御装置１０の通信部１４が、計測対象の需要家が使用する携帯端末４１から、電力供給を停止させる制御命令を受信すると、制御部１１は、配電処理部１６を制御して対応する分岐開閉器３をオフさせ、計測対象の需要家の住戸４０への電力供給を遮断する。また、制御部１１は、電力供給を停止したことを通知する信号を、通信部１４から計測対象の需要家が使用する携帯端末４１へ送信させる。このとき、計測対象の需要家は、配電制御装置１０から携帯端末４１に送信された信号の内容を確認することによって、住戸４０への電力供給が遮断されたことを確認できる。
【００５７】
なお、配電制御装置１０の通信部１４から、計測対象の需要家が使用する携帯端末４１に、供給電力の増加を通知するメッセージを送信する際、対象の携帯端末４１を識別するための識別番号をその都度生成し、この識別番号を一緒に通知してもよい。
【００５８】
計測対象の需要家が使用する携帯端末４１に、配電制御装置１０の通信部１４から、供給電力の増加を通知するメッセージが入力されると、携帯端末４１に送られたメッセージを確認した需要家は、通知が届く前に電気機器の使用を開始したか否かで盗電が発生したか否かを判断する。盗電と判断した需要家は、携帯端末４１を操作して、電力供給を停止させる制御命令を配電制御装置１０に送信させるのであるが、この制御命令と一緒に、配電制御装置１０から送信された識別信号を返送する。配電制御装置１０は、携帯端末４１から電力供給を停止させる制御命令が入力されると、この制御命令と一緒に入力された識別情報を、自身が送信した識別情報と照合し、両者が一致すれば、対応する住戸４０への電力供給を遮断させる。
【００５９】
このように、配電制御装置１０から需要家の使用する携帯端末４１に、供給電力の増加を通知する際に、通知の度に生成した識別情報を送信すれば、携帯端末４１から返送された識別情報をもとに、対象の携帯端末４１からの返信か否かを判別できる。したがって、需要家以外の不正な第三者によって、住戸４０への電力供給が制御される可能性を低減できる。
【００６０】
また、本実施形態の配電システムにおいて、需要家が、携帯端末４１を用いて、保有する電気機器を給電制御装置に登録し、使用を停止した電気機器の登録を解除すれば、給電制御装置では、使用中と登録された電気機器の情報と、この住戸４０への供給電力とから、盗電の有無を判定することができる。この判定処理を図４のフローチャートに基づいて説明する。
【００６１】
配電制御装置１０の制御部１１は、何れかの需要家が使用する携帯端末４１からの信号の受信待ちを行い（ステップＳ１）、通信部１４が携帯端末４１からの信号を受信できなければ（ステップＳ２のＮｏ）、処理を一旦終了して、受信待ちの状態に戻る。
【００６２】
通信部１４が携帯端末４１からの信号を受信すれば（ステップＳ２のＹｅｓ）、制御部１１は、携帯端末４１から通信部１４が受信した情報をもとに、この携帯端末４１に対応する需要家での電気機器の使用状況を更新する。すなわち、通信部１４が受信した信号が電気機器を登録する信号と、その定格消費電力であれば、制御部１１は、この電気機器の定格消費電力と、この電気機器が使用中であるという情報を記憶部１２に登録する。通信部１４が受信した信号が電気機器の登録を解除する信号であれば、制御部１１は、この電気機器の使用が停止されたとして記憶部１２に登録する。制御部１１は、記憶部１２に登録された情報をもとに、対応する需要家での電気機器の使用状況を更新し、使用中であると登録された電気機器の定格消費電力を合計することによって、この需要家への供給電力の最大値（総電力）Ｐ２を更新する（ステップＳ３）。
【００６３】
その後、電力処理部１３は、電力計測器４が計測した需要家への供給電力Ｐ１と、制御部１１が求めた供給電力の最大値Ｐ２とを比較する（ステップＳ４）。
【００６４】
ここで、供給電力Ｐ１が最大値Ｐ２以下であれば（ステップＳ４のＮｏ）、電力処理部１３は、盗電が起きていないと判断し、電力計測器４によって計測された供給電力をもとに基準パターンを更新する（ステップＳ８）。
【００６５】
一方、供給電力Ｐ１が最大値Ｐ２よりも大きければ（ステップＳ４のＹｅｓ）、電力処理部１３は、盗電が起きていると判断し、盗電の判定結果を制御部１１に出力する。制御部１１は、盗電されているとの判定結果が電力処理部１３から入力されると、盗電されていると判断した住戸４０に対応する分岐開閉器３をオフさせる命令を配電処理部１６に出力する。配電処理部１６は、制御部１１からの命令に基づいて対応する分岐開閉器３をオフさせることで、この住戸４０への電力供給を遮断する（ステップＳ５）。配電処理部１６が電力供給を遮断する処理を完了すると、制御部１１は、盗電されていると判断した需要家が使用する携帯端末４１に、盗電が発生したことを通知するメッセージを通信部１４から送信させる（ステップＳ６）。このとき、対象の需要家は、携帯端末４１に送信されたメッセージを確認することで、住戸４０への電力供給が遮断されたことを把握でき、携帯端末４１を操作して通知を受け付けたことを示す信号を配電制御装置１０に返送する（ステップＳ７）。配電制御装置１０の制御部１１は、通知を受け付けたことを示す信号を携帯端末４１から受信すると、処理を終了して、受信待ちの状態に戻る。
【００６６】
このように、需要家が住戸４０内で使用する電気機器を配電制御装置１０に登録することで、住戸４０への供給電力の最大値を求めることができるから、この最大値を供給電力の計測値が超えることから、盗電が発生したことをより確実に検知できる。なお、配電制御装置１０には、各需要家で使用している電気機器の情報が登録されているが、現在使用中の電気機器の情報を登録する代わりに、各需要家が保有する電気機器の情報を登録してもよい。
【００６７】
また、図２に示すように、ある住戸４０ａに対して給電経路（配電線４２ａ，４２ｂ）が複数ある場合、上述したような判断処理の結果、一方の配電線４２ａからは盗電されておらず、他方の配電線４２ｂのみから盗電されていると判断された場合、配電制御装置１０は、配電線４２ｂに接続された分岐開閉器３ｂのみをオフさせて、配電線４２ａに接続された分岐開閉器３ａはオンさせることも好ましい。
【００６８】
これにより、盗電が行われていないと判断された配電線４２ａを介して電力が供給されるから、住戸４０ａでは一部の電気機器を継続して使用することができる。
【００６９】
以上説明したように、給電制御装置は、計測部たる電力計測器４と、記憶部１２と、判定部たる電力処理部１３とを備える。分散電源３０は、太陽光発電装置３１によって発電された電力を蓄電池３２に蓄積し、蓄電池３２に蓄えた電力を外部に供給する。電力計測器４は、分散電源３０から複数の需要家の各々に供給される供給電力を個別に計測する。記憶部１２は、複数の需要家の各々について電力計測器４によって計測された供給電力の時間変化を示す変化パターンを記憶する。電力処理部１３は、複数の需要家の各々について、電力計測器４が計測した供給電力が、変化パターンから求めた計測時点における供給電力よりも、所定の閾値以上増加すると、盗電されていると判定する。
【００７０】
これにより、給電制御装置は、複数の需要家の各々について個別に計測した供給電力と、基本パターンから求めた計測時点における供給電力とを比較することで、盗電の有無を判断しており、需要家への配電線から盗電される場合でもより確実に盗電を検知できる。
この給電制御装置において、記憶部１２には、複数の需要家の各々が使用している電気機器の定格消費電力が登録されることも好ましい。判定部たる電力処理部１３は、複数の需要家の各々について、電力計測器４が計測した供給電力が、記憶部に登録された電気機器の定格消費電力の合計値よりも所定量以上大きくなると、盗電されていると判定するように構成されている。
【００７１】
給電制御装置は、記憶部１２に登録された情報をもとに供給電力の最大値を求めることができ、判定部たる電力処理部１３は、供給電力の計測値が、登録された電気機器の定格消費電力の合計値よりも所定量以上大きければ、盗電が発生したと判断できる。
【００７２】
この給電制御装置において、通信部１４（通知部）と、制御部１１をさらに備えることも好ましい。通信部１４は、複数の需要家のうち、盗電されていると制御部１１が判定した需要家に対して、盗電の有無を確認させる通知を行うように構成される。制御部１１は、通知を受けた需要家より電力供給を停止させる制御命令が入力されると、分散電源３０から、制御命令の送信元である需要家への電力供給を停止させるように構成されている。
【００７３】
これにより、給電制御装置は、ある需要家で盗電が起きていると判断した場合、この需要家にその旨を通知し、需要家に確認させているので、より確実に盗電の有無を判断できる。
【００７４】
この給電制御装置において、通信部１４は、複数の需要家のうち、盗電されていると制御部１１が判定した需要家に対して、盗電の有無を確認させる通知を行う際に、通知を行う度に生成した識別情報を一緒に通知するように構成されることも好ましい。そして、制御部１１は、通信部１４が通知した前記識別情報と、前記需要家より前記制御命令と共に返送された識別情報とを照合し、両者が一致しなければ前記制御命令を実行せず、両者が一致した場合に前記制御命令を実行するように構成されることも好ましい。
【００７５】
これにより、需要家以外の不正な第三者によって、需要家への電力供給が制御される可能性を低減できる。
【００７６】
この給電制御装置において、制御部１１をさらに備えることも好ましい。複数の需要家のうち、盗電されていると電力処理部１３が判定した前記需要家への給電経路が複数存在し、且つ、複数の前記給電経路のうち、盗電されていないと電力処理部１３が判定した給電経路が少なくとも１つ存在する場合、制御部１１は、盗電されていると判定された給電経路を介しての電力供給は停止させ、盗電されていないと判定された給電経路を介しての電力供給は継続するように構成されている。
【００７７】
このように、制御部１１は、盗電されていると電力処理部１３が判定した給電経路への電力供給を停止させることで、これ以上の盗電を抑制でき、盗電されていないと電力処理部１３が判定した給電経路へは電力供給を継続することで、この給電経路に接続された負荷を動作させることができる。
【００７８】
本発明をいくつかの好ましい実施形態によって記述したが、本発明の本来の精神および範囲、すなわち請求の範囲を逸脱することなく、当業者によってさまざまな修正および変形が可能である。
【図１】
2015015530.tif 000003
【図２】
2015015530.tif 000004
【図３】
2015015530.tif 000005
【図４】
2015015530.tif 000006
【国際調査報告】
2015015530.tif 000007
2015015530.tif 000008
2015015530.tif 000009
2015015530.tif 000010